(57)【特許請求の範囲】
【請求項１】
ガラスからなる上板と、前記上板の端部を除く前記上板の下面を受けて前記上板全体を保持する受け板とを有する機器天板を備え、前記受け板が外周端部において前記上板を受ける面に対して下方に一段下げられて前記上板の下面と前記受け板の略外周上面との間に隙間を有する状態で、断面を略コの字に成形した保護枠が前記上板及び前記受け板の外周端部略全周を上下から挟み込み包覆するとともに、前記保護枠の端部を前記上板側へ傾斜させ前記上板の上面と前記保護枠との間に隙間を設け、前記隙間に接着剤を挿入して前記上板の上面と前記保護枠とを接合することを特徴とする調理器。
【請求項２】
保護枠は、金属からなり、少なくとも１ヶ所で切れ目を設けて接合された金属製の枠で包覆された構成の請求項１記載の調理器。
【請求項３】
受け板は端面を上板側に前記上板の下面に対して垂直方向に曲折させて前記上板の外側に位置する曲折部を有し、保護枠は前記曲折部を包覆すると共に前記受け板の下面と接合する請求項１記載の調理器。
【請求項４】
保護枠の前記受け板の下面との接合部の外側に、緩衝材を貼り付けたことを特徴とする請求項１から３のいずれか１項記載の調理器。
【発明の詳細な説明】
【技術分野】
【０００１】
本発明は、ガラス天板を用いた調理器の天板の構成に関するものである。
【背景技術】
【０００２】
従来のシステムキッチンのカウンターへはめ込む調理器の構成は図６に示すように、キッチンカウンター１１に設置されている。そして、ガラスを素材としたガラス天板１２は、結晶化ガラスあるいは強化ガラスを主に使用し、その下面にはトップ枠１３を配置している。トップ枠１３は、アルミダイキャスト引物の組合せまたは、板金で成形し、塗装あるいは、ホーロー等の表面処理を施されたものである。さらに、ガラス天板１２とトップ枠１３の間には緩衝シート１４が数ヶ所載置されてガラス天板１２を受け、耐熱性に優れたシリコンよりなる接着剤１５でガラス天板１２とトップ枠１３とを全周で接着固定している。
【０００３】
そして、ガラス天板１２の中央部には、鍋等の調理物１６を加熱するバーナー等の熱源１７を配置するための貫通穴１２ａが設けられ、貫通穴１２ａの周囲上面には調理物１６を載置するゴトク１８が装備されている（例えば特許文献１参照）。
【特許文献１】特開２００３−１３９３３３号公報
【発明の開示】
【発明が解決しようとする課題】
【０００４】
しかし、上記従来の構成では、ガラス天板２とトップ枠３とを接合するために接着剤５を塗布しているが、これがカウンター表面にでると、特に接着剤５の塗布の不均一さが目立つので外観上よくないという課題があった。
【０００５】
さらに、ガラス天板２に過度の加重がかかると、天板２、トップ枠３ともに変形し限度を超えると割れるということがあった。下のトップ枠３とは接着剤５で端部にて接着されているだけであり、特に荷重がガラス天板の端面にかかると、かけたり、ひびがはいったり、傷がついたりということも生じかねなかった。
【０００６】
本発明は上記従来の課題を解決するもので、外観上の見栄えもよく、ガラス天板上に大きな荷重が加わる、あるいは衝撃が加わった場合でもガラス天板が割れ難い安全なガラス天板構成をもった調理器を提供することを目的とする。
【課題を解決するための手段】
【０００７】
前記従来の課題を解決するために、本発明の調理器は、ガラスからなる上板と、前記上板の端部を除く前記上板の下面を受けて前記上板全体を保持する受け板とを有する機器天板を備え、前記受け板が外周端部において前記上板を受ける面に対して下方に一段下げられて前記上板の下面と前記受け板の略外周上面との間に隙間を有する状態で、断面を略コ
の字に成形した保護枠が前記上板及び前記受け板の外周端部略全周を上下から挟み込み包覆するとともに、前記保護枠の端部を前記上板側へ傾斜させ前記上板の上面と前記保護枠との間に隙間を設け、前記隙間に接着剤を挿入して前記上板の上面と前記保護枠とを接合することを特徴とする調理器とした。
【０００８】
これにより、ガラス天板の外周が保護枠で補強され、強度が保てるようになり、かつ外観では保護枠がカウンターとガラスの上板の境界ラインとなり、接着剤が表面に出ないので、見た目がよくなる。
【発明の効果】
【０００９】
本発明の調理器によれば、接着剤等が表面にはみ出て外観を損ねることがなく、天板面積を見かけ上広くとることが出来て見栄えもよく、天板強度も保てる天板構成の調理器を実現できる。
【発明を実施するための最良の形態】
【００１０】
第１の発明は、ガラスからなる上板と、前記上板の端部を除く前記上板の下面を受けて前記上板全体を保持する受け板とを有する機器天板を備え、前記受け板が外周端部において前記上板を受ける面に対して下方に一段下げられて前記上板の下面と前記受け板の略外周上面との間に隙間を有する状態で、断面を略コの字に成形した保護枠が前記上板及び前記受け板の外周端部略全周を上下から挟み込み包覆するとともに、前記保護枠の端部を前記上板側へ傾斜させ前記上板の上面と前記保護枠との間に隙間を設け、前記隙間に接着剤を挿入して前記上板の上面と前記保護枠とを接合することを特徴とする調理器とした。これにより、ガラス天板の外周が保護枠で補強され、強度が保てるようになり、かつ外観では保護枠がカウンターとガラスの上板の境界ラインとなり、保護枠と上板の接合が確実となり、接着剤を塗布しても外表面にはみでることなく隠されるので、見た目がよくなる。また、接着剤が煮こぼれ液の隙間への侵入を防ぐことも可能となる。また、端面の強度がさらに増すことになり、接着剤のはみ出しも確実に予防することもでき、また、保護枠の端面部分が上板側へ曲折しているので、ユーザーがガラス天板を清掃する場合に、端面との接触が避けられるので、安全である。
【００１１】
第２の発明は、保護枠は、金属からなり、少なくとも１ヶ所で切れ目を設けて接合された金属製の枠で包覆された構成とした。ガラスの上板と受け板を保護枠で固定する際には、この切れ目部分から、挿入する作業となる。切れ目を設けることで、この組み立て作業が容易にできるという効果がある。切れ目を２箇所以上とすると、部分的な保護枠の固定が必要となるが、相対的に短く分断された保護枠の部分について、ガラス上板にビス固定するなどという構成も考えられる。
【００１４】
第３の発明は、受け板は端面を前記上板側に前記上板の下面に対して垂直方向に曲折され前記上板の外側に位置する曲折部を有する受け板を有し、保護枠は前記曲折部を包覆すると共に前記受け板の下面と接合する構成としたことを特徴とした。これにより、ガラスの上板と受け板との固定の際に位置決めしやすくなるので、組み立て作業がより容易になる。
【００１５】
第４の発明は、保護枠の前記受け板の下面との接合部の外側に、緩衝材を貼り付けたことを特徴とした。これにより、キッチンカウンターとの接触部への衝撃や荷重を吸収して、カウンターの調理器載置部分を傷つけることがない。
【００１６】
以下、本発明の実施の形態について図に基づいて説明する。
【００１７】
（実施の形態１）
図１は本発明の実施例１の調理器を示したものである。ガスコンロ等の調理器は、キッチンカウンター１に設置されている。そして、ガラスを素材とした上板２は、結晶化ガラスあるいは、強化ガラスを主に使用しており、単一または、複数個の貫通穴２ａが設けられている。上板２の下面には受け板３を配置して上板２全体を受けてこれを保持するようにしている。上板２と受け板３を全周で包覆するよう金属製の保護枠４で固定されている。また、保護枠のキッチンカウンター１との接触部となる部分に緩衝材５を塗布している。
【００１８】
上板２、受け板３には、貫通穴２ａ、３ａをそれぞれ設けており、ここからガスバーナなどの熱源７を臨ませている。鍋等の調理物６が、ゴトク８を介してガラス天板の上板２上に載置されるものであり、ガスバーナ等の熱源７は、ガラス天板２に設けて貫通穴２ａに位置して前記調理物８を加熱調理するものである。
【００１９】
図２には、上板２と受け板３を保護枠４で固定した状態の断面図を示す。保護枠４の断面は、略コの字状をしており、上板２と受け板３を上下から挟み込むように端部を保護する。
【００２０】
上記した第1の実施の形態の調理器では、ガラス天板２全体を受け板３で保持し、ガラス天板とその受け板を略全周で覆う保護枠を設けているため、ガラス天板外周端面部の割れ、カケ等を保護することができる。
【００２１】
（実施の形態２）
図３は本発明の第２実施の形態の要部断面を示したものである。上板２と受け板３を全周で包覆するよう金属製の保護枠４で固定している。受け板３の端部は、曲折部３ｄを設けてあり、保護枠４の上板２との隙間全周にシリコン等の接着剤を施して固定したものである。また、緩衝材５はキッチンカウンターとの接触部に塗布されている。
【００２２】
この構成により、天板の組み立て工程において、上板との組み合わせ時ガラスの上板２の位置決めをしやすくしている。また、接着剤９により保護枠と上板が固定されるので、ガラス天板との隙間を埋め、煮こぼれ汁の侵入を防ぐことができる。接着剤９は保護枠により隠され表面にみられないので、外観を損ねることがない。また、輸送等で万一、振動、落下の異常があった場合でもガラス天板が動かないため、ガラス天板のカケや割れ等を防ぐことができる。
【００２３】
（実施の形態３）
図４は本発明の第３の実施の形態を示したものである。上板２と受け板３を全周で包覆するよう金属製の保護枠４のガラス天板側端部をガラス天板側に曲折して４ａ部を構成している。そして、できた間隙には、接着剤９を挿入してある。
【００２４】
また、図５（ａ）には同実施の形態の保護枠の背面図を示した。また、（ｂ）にはその正面図を示した。調理器の後ろ側に位置する２つの場所に切れ目Ａ、Ｂを設けておりそれぞれ切れ目の部分を固定するためのビス１０止めをしている。
【００２５】
この曲折部４ａを設けたことで、天板を拭き掃除などするお手入れ時に、金属製の保護枠４の端部に手が触れることなく安全である。また、保護枠の一部を曲折しているため、強度的に強く、変形しにくく、すなわち、ガラス天板との接触部の隙間もなくすことができる。また、曲折部４ａを設けることで、生じる間隙には接着剤９を確実に挿入することが出来るし、表面へはみ出すこともなく、外観も非常によい。また、金属製の保護枠４に切れ目Ａ、Ｂを備えたことで、上板２と受け板３の略外周を保護枠で固定する際の組み立て工程での作業性がよくなる。ビス１０止めは必要に応じてそなえるようにすればよく、本実施の形態のように、接着剤９で固定されてしまえば、必要としない場合もある。
【産業上の利用可能性】
【００２６】
上記のように、本発明はガラスを天板とするはめ込み式調理器の天板構成で、保護枠を備えた構成としたので、他のシステムキッチンへのはめ込み部材へ適用することも可能である。  
【図面の簡単な説明】
【００２７】
【図１】本発明の第１の実施の形態における調理器の要部構成を示す断面図
【図２】同実施の形態における調理器の要部断面図
【図３】本発明の第２の実施の形態における調理器の要部断面図
【図４】本発明の第３の実施の形態における調理器の要部断面図
【図５】（ａ）同実施の形態における調理器の保護枠の背面図（ｂ）同実施の形態における調理器の正面図
【図６】従来の調理器の実施例の要部構成を示す断面図
【符号の説明】
【００２８】
１  キッチンカウンター
２  上板
３  受け板
３ｄ  曲折部
４  保護枠
４ａ  曲折部
５  緩衝材
９  接着剤
Ａ、Ｂ  切れ目
【図１】
0004694119.tif 000002
【図２】
0004694119.tif 000003
【図３】
0004694119.tif 000004
【図４】
0004694119.tif 000005
【図５】
0004694119.tif 000006
【図６】
0004694119.tif 000007